(57)【要約】【課題】  ラベルを発行する通常の操作で、ラベルに印刷される内容を変更できるようにしたラベルプリンタを提供する。【解決手段】ラベルプリンタ１Ａは、物品に貼着されるラベルを作成する制御部２と、ラベルに印刷される項目の内容が設定されるラベル作成情報が記憶されると共に、ラベル作成情報に基づき作成されるラベルの内容を変更する規則が設定された変更規則情報が記憶される記憶部３を備える。制御部２は、ラベルを発行する操作で、記憶部３に記憶されたラベル作成情報に基づいて作成するラベルの内容を、変更規則情報に基づき変更する。【選択図】    図１
2015030201.tif 000002
【特許請求の範囲】
【請求項１】
物品に貼着されるラベルを作成する制御手段と、
ラベルに印刷される項目の内容が設定されるラベル作成情報が記憶されると共に、ラベル作成情報に基づき作成されるラベルの内容を変更する規則が設定された変更規則情報が記憶される記憶手段とを備え、
前記制御手段は、前記記憶手段に記憶されたラベル作成情報に基づいて作成するラベルの内容を、前記記憶手段に記憶された変更規則情報に基づき変更する
ことを特徴とするラベルプリンタ。
【請求項２】
前記記憶手段は、変更規則情報として、ラベルの内容を変更する条件が設定された変更条件情報と、変更される内容が設定された変更値情報が記憶され、
前記制御手段は、ラベルの内容の変更の有無を変更条件情報に基づき判断し、ラベルの内容を変更値情報に基づき変更する
ことを特徴とする請求項１に記載のラベルプリンタ。
【請求項３】
前記記憶手段は、変更規則情報として、ラベルの内容を変更する条件が設定された変更条件情報と、変更される内容が設定された変更値情報が、商品毎に記憶される
ことを特徴とする請求項２に記載のラベルプリンタ。
【請求項４】
前記記憶手段は、変更条件情報として、ラベルの内容を変更する変更期間の開始日が設定された変更開始日情報と、変更期間の終了日が設定された変更終了日情報が記憶される
ことを特徴とする請求項２〜請求項３の何れか１項に記載のラベルプリンタ。
【請求項５】
前記記憶手段は、変更条件情報として、ラベルの内容を変更する時間帯が設定された変更時間帯情報が記憶される
ことを特徴とする請求項２〜請求項４の何れか１項に記載のラベルプリンタ。
【請求項６】
前記記憶手段は、ラベル作成情報として、ラベルに印刷される商品の使用期限を算出する期限算出情報が記憶され、変更値情報として、期限算出情報で算出される商品の使用期限を変更する内容が設定される
ことを特徴とする請求項２〜請求項５の何れか１項に記載のラベルプリンタ。
【発明の詳細な説明】
【技術分野】
【０００１】
本発明は、物品の期限情報等をラベルに印刷して出力するラベルプリンタに関する。
【背景技術】
【０００２】
ラベルプリンタは、例えば、物品の期限情報等をラベルに印刷して発行する用途で用いられる。食品を提供する業者等においては、食品の期限である賞味期限あるいは消費期限を顧客に提示する必要がある。
【０００３】
食品の賞味期限あるいは消費期限は、食品毎に予め決められている。ラベルプリンタでは、賞味期限あるいは消費期限が記憶され、例えば、食品を選択する操作で選択された食品に対応した賞味期限あるいは消費期限を取得して、期限ラベルが発行される。
【０００４】
一方、夏季と冬季等で温度差がある地域等では、賞味期限あるいは消費期限を季節によって変更する場合がある。従来、期限ラベルに印刷する賞味期限あるいは消費期限を変更する場合、賞味期限あるいは消費期限を変更する期間に合わせて、該当する食品毎に変更後の賞味期限あるいは消費期限を記憶する必要がある。また、所定の変更期間が経過して、賞味期限あるいは消費期限を元に戻す場合も、同様の作業が必要である。
【０００５】
さて、ラベルに印刷される所定の日付情報を一時的に変更できるようにするため、日付を繰り上げる変更キーを備えたラベルプリンタが提案されている（例えば、特許文献１参照）。
【０００６】
また、作業者の計算ミスや入力ミスを防ぐため、商品の有効期限のデータを記憶し、有効期限のデータから該当商品の消費期限日に相当する日付を算出する技術が提案されている（例えば、特許文献２参照）。
【先行技術文献】
【特許文献】
【０００７】
【特許文献１】実開平２−４１９５９号公報
【特許文献２】特許４５７１５７４号公報
【発明の概要】
【発明が解決しようとする課題】
【０００８】
しかし、ラベルに印刷される賞味期限や消費期限等を変更するためには、日付を変更するための何等かの操作、あるいは、変更後の賞味期限等を算出するために必要な新たな有効期限のデータの入力が必要であり、ラベル発行者の操作に手間が掛かっていた。
【０００９】
また、賞味期限あるいは消費期限の変更に必要な操作を忘れる、あるいは数値の入力を間違う等の操作ミスに起因して、誤った期限情報が印刷されたラベルが発行される虞があった。
【００１０】
本発明は、このような課題を解決するためになされたもので、ラベルを発行する通常の操作で、ラベルに印刷される内容を変更できるようにしたラベルプリンタを提供することを目的とする。
【課題を解決するための手段】
【００１１】
上述した課題を解決するため、本発明は、物品に貼着されるラベルを作成する制御手段と、ラベルに印刷される項目の内容が設定されるラベル作成情報が記憶されると共に、ラベル作成情報に基づき作成されるラベルの内容を変更する規則が設定された変更規則情報が記憶される記憶手段とを備え、制御手段は、記憶手段に記憶されたラベル作成情報に基づいて作成するラベルの内容を、記憶手段に記憶された変更規則情報に基づき変更するラベルプリンタである。
【００１２】
本発明のラベルプリンタでは、ラベルに印刷される項目の内容がラベル作成情報で設定され、ラベル作成情報に基づき作成されるラベルの内容を変更する規則が変更規則情報で設定される。ラベルプリンタでは、ラベルを発行する操作で、ラベル作成情報に基づいて作成されるラベルの内容が、変更規則情報に基づき変更される。
【発明の効果】
【００１３】
本発明のラベルプリンタによれば、ラベルを発行する操作で、ラベル作成情報に基づいて作成されるラベルの内容が、変更規則情報に基づき変更されるので、ラベル発行時に設定の変更を行う必要はなく、期限の異なるラベルを発行するというミスを低減することができる。
【図面の簡単な説明】
【００１４】
【図１】本実施の形態のラベルプリンタの制御系の機能の一例を示すブロック図である。
【図２】期限ラベルの一例を示す説明図である。
【図３】ラベル作成情報の一例を示す説明図である。
【図４】変更規則情報の一例を示す説明図である。
【図５】本実施の形態のラベルプリンタの動作例を示すフローチャートである。
【図６】変更規則情報の変形例を示す説明図である。
【図７】変更規則情報の他の変形例を示す説明図である。
【図８】変更規則情報の他の変形例を示す説明図である。
【図９】本実施の形態のラベルプリンタの制御系の機能の変形例を示すブロック図である。
【図１０】変更規則情報の変形例を示す説明図である。
【発明を実施するための形態】
【００１５】
以下、図面を参照して本発明のラベルプリンタの実施の形態について説明する。
【００１６】
＜本実施の形態のラベルプリンタの構成例＞
図１は、本実施の形態のラベルプリンタの制御系の機能の一例を示すブロック図、図２は、期限ラベルの一例を示す説明図である。
【００１７】
本実施の形態のラベルプリンタ１Ａは、食品等の物品に貼着されるラベルの一例として、物品の使用期限情報が表記される期限ラベル１１を作成する制御部２を備える。
【００１８】
また、ラベルプリンタ１Ａは、期限ラベル１１に印刷される項目及び項目の内容が設定されたラベル作成情報Ｄ１と、期限ラベル１１に印刷される所定の項目の内容を変更する規則が設定された変更規則情報Ｄ２Ａが記憶される記憶部３を備える。
【００１９】
更に、ラベルプリンタ１Ａは、期限ラベル１１等を印刷する印刷部４と、期限ラベル１１等を発行する所定の操作が行われる操作部５と、期限ラベル１１等に印刷される項目と、項目の内容等が表示される表示部６を備える。
【００２０】
ここで、ラベルプリンタ１Ａは、ラベル作成情報Ｄ１及び変更規則情報Ｄ２Ａ等が記憶される外部記憶装置８が、着脱可能な構成であっても良い。
【００２１】
ラベルプリンタ１Ａでは、期限ラベル１１が貼着される物品を特定する情報と、物品の使用期限を特定する情報が、期限ラベル１１に印刷される項目として設定される。本例では、物品である食品の名称と、賞味期限や消費期限等の食品に関連する使用期限の中で賞味期限が、期限ラベル１１に印刷される項目として設定される。
【００２２】
これにより、ラベルプリンタ１Ａで印刷される期限ラベル１１は、各項目の内容として、図２（ａ）及び図２（ｂ）に示すように、食品の名称である食品名７ａと、食品の賞味期限である期限日時７ｂが印刷される。
【００２３】
制御部２は制御手段の一例で、期限ラベル１１に印刷する項目の内容を、記憶部３、または外部記憶装置８に記憶されたラベル作成情報Ｄ１から取得する。また、制御部２は、記憶部３または外部記憶装置８に記憶された変更規則情報Ｄ２Ａを取得する。
【００２４】
制御部２は、変更規則情報Ｄ２Ａで設定される変更規則に基づき、期限ラベル１１に印刷される所定の項目の内容、本例では賞味期限の期限日時７ｂの変更の有無を判断して、図２（ａ）あるいは図２（ｂ）に示す期限ラベル１１を作成する。
【００２５】
記憶部３は記憶手段の一例で、ラベル作成情報Ｄ１及び変更規則情報Ｄ２Ａと、期限ラベル１１のレイアウトが設定されたレイアウト情報等が記憶される。記憶手段として外部記憶装置８を備える構成では、外部記憶装置８にラベル作成情報Ｄ１及び変更規則情報Ｄ２Ａと、レイアウト情報等が記憶される。外部記憶装置８は、例えば、カード状の記録媒体、ＵＳＢメモリ等で構成され、ラベルプリンタ１Ａは、外部記憶装置８が着脱可能に装着されるリーダライタを備える。
【００２６】
印刷部４は印刷手段の一例で、ラベルに印刷を行うサーマルヘッド等の印刷ヘッドと、ラベルの搬送を行うプラテンローラ等を備える。印刷部４は、長尺状の剥離紙に、剥離紙の延在方向に沿って複数枚のラベルが貼着されたラベル用紙を搬送して、ラベルに印刷を行う。
【００２７】
操作部５は操作手段の一例で、文字や数字の入力、及び情報の選択や決定等が行える例えばボタン型の入力装置で構成される。操作部５は、期限ラベル１１を発行する動作では、期限ラベル１１に印刷される項目及び項目の内容をラベル作成情報Ｄ１から選択する操作が行われる。表示部６は表示手段の一例で、例えば液晶ディスプレイで構成される。
【００２８】
図３は、ラベル作成情報の一例を示す説明図である。ラベル作成情報Ｄ１は、期限ラベル１１に印刷される項目の内容として、物品を特定する物品名情報Ｄ１０が記憶される。ラベル作成情報Ｄ１は、物品名情報Ｄ１０として本例では食品名７ａが記憶される。
【００２９】
また、ラベル作成情報Ｄ１は、期限ラベル１１に印刷される項目の内容として、期限ラベル１１に印刷される期限日時７ｂを算出する期限算出値情報Ｄ１１が記憶される。
【００３０】
期限算出値情報Ｄ１１は、所定の年月日、時刻を起算日時として、起算日時に加算あるいは減算される年数、日数、時間で物品の使用期限が設定される。期限ラベル１１に印刷される期限日時７ｂは、期限算出値情報Ｄ１１で設定された本例では時間を、起算日時に加算あるいは減算することで生成される。
【００３１】
図４は、変更規則情報の一例を示す説明図である。変更規則情報Ｄ２Ａは、期限算出値情報Ｄ１１から算出される期限日時７ｂを変更する変更値情報Ｄ２０と、期限日時７ｂを変更する条件が設定される期限変更条件情報Ｄ２１が記憶される。
【００３２】
変更値情報Ｄ２０は、本例では、起算日時に加算されることで期限日時７ｂを生成する期限算出値情報Ｄ１１に対して加算あるいは減算される時間で設定される。物品が食品である場合、賞味期限の期限日時７ｂを生成する期限算出値情報Ｄ１１に対して減算される時間で設定される。
【００３３】
期限変更条件情報Ｄ２１は、期限日時７ｂを変更する変更期間Ｔの開始日が設定された変更開始日情報Ｄ２１ａと、変更期間Ｔの終了日が設定された変更終了日情報Ｄ２１ｂが記憶される。
【００３４】
＜本実施の形態のラベルプリンタの動作例＞
図５は、本実施の形態のラベルプリンタの動作例を示すフローチャートで、次に、各図を参照して、期限ラベル１１に印刷される期限日時７ｂを変更する動作について説明する。
【００３５】
ラベルプリンタ１Ａは、図５のステップＳＡ１で、操作部５が操作され、期限ラベル１１に印刷される項目として、所定の食品名が選択されて、ラベルの発行ボタンが押される。
【００３６】
図示しない発行ボタンが押されると、制御部２は、図５のステップＳＡ２で、期限日時７ｂの変更の有無を判断する基準日時として、現在日時であるラベル発行時の年月日、時間を図示しない内部時計で取得する。また、制御部２は、期限日時７ｂを算出する基準となる起算日時として、食品の製造年月日及び時刻である製造日時を図示しない内部時計で取得する。
【００３７】
なお、食品の製造時に期限ラベル１１を発行する動作では、現在日時であるラベル発行日時を製造日時とし、製造日時を起算日時として期限日時７ｂが算出される。また、製造日時を基準日時として期限日時７ｂの変更の有無が判断される。
【００３８】
制御部２は、図５のステップＳＡ３で、記憶部３に記憶されたラベル作成情報Ｄ１の物品名情報Ｄ１０から、期限ラベル１１に印刷する食品名を取得すると共に、食品名に対応した使用期限を期限算出値情報Ｄ１１から取得する。
【００３９】
また、制御部２は、図５のステップＳＡ４で、記憶部３に記憶された変更規則情報Ｄ２Ａから、変更値情報Ｄ２０と、変更開始日情報Ｄ２１ａ及び変更終了日情報Ｄ２１ｂを取得する。
【００４０】
制御部２は、図５のステップＳＡ５で、現在日時と、変更開始日情報Ｄ２１ａ及び変更終了日情報Ｄ２１ｂで特定される賞味期限の期限日時７ｂを変更する変更期間Ｔを比較する。
【００４１】
制御部２は、図５のステップＳＡ５で、現在日時が期限日時７ｂを変更する変更期間Ｔに含まれると判断すると、図５のステップＳＡ６で、期限算出値情報Ｄ１１で設定された使用期限を示す時間から、変更値情報Ｄ２０で設定された時間を減算し、変更期間Ｔに応じて変更された使用期限を生成する。
【００４２】
制御部２は、図５のステップＳＡ５で、現在日時が変更期間Ｔに含まれていないと判断すると、期限算出値情報Ｄ１１で設定された使用期限を使用する。
【００４３】
制御部２は、現在日時が期限日時７ｂを変更する変更期間Ｔに含まれると判断した場合は、図５のステップＳＡ７で、期限算出値情報Ｄ１１で設定された時間から変更値情報Ｄ２０で設定された時間を減算して生成された使用期限を製造日時に加算することで、賞味期限の期限日時７ｂを生成する。
【００４４】
または、制御部２は。現在日時が変更期間Ｔに含まれていないと判断した場合は、図５のステップＳＡ７で、期限算出値情報Ｄ１１で設定された使用期限を製造日時に加算することで、賞味期限の期限日時７ｂを生成する。
【００４５】
そして、制御部２は、図５のステップＳＡ８で、ラベル作成情報Ｄ１の物品名情報Ｄ１０で設定される食品名７ａと、夏季、冬季等の変更期間Ｔに応じて生成された期限日時７ｂを使用して期限ラベル１１を作成し、印刷部４でラベルに印刷して発行する。
【００４６】
ラベル作成情報Ｄ１では、例えば「カツカレー」の予め設定された使用期限である賞味期限は、期限算出値情報Ｄ１１に示すように製造日時から＋１２時間と設定される。一方、変更規則情報Ｄ２Ａでは、賞味期限を変更する変更期間Ｔの開始日が変更開始日情報Ｄ２１ａで例えば５月に設定され、変更期間Ｔの終了日が変更終了日情報Ｄ２１ｂで９月に設定される。また、変更規則情報Ｄ２Ａでは、賞味期限の変更値が変更値情報Ｄ２０で−１時間に設定される。
【００４７】
制御部２は、期限ラベル１１を発行する動作で、食品の製造日時、本例では期限ラベル１１を発行する現在日時が、例えば、２０１３年７月１日午前９時である場合、賞味期限を変更する変更期間Ｔであると判断する。制御部２は、期限算出値情報Ｄ１１で予め設定された使用期限から、変更値情報Ｄ２０で設定された時間を減算することで、変更期間Ｔに合わせて賞味期限を生成する。
【００４８】
また、制御部２は、期限ラベル１１を発行する動作で、期限ラベル１１を発行する現在日時が、例えば、２０１３年４月１日午前９時である場合、賞味期限の変更期間Ｔではないと判断する。制御部２は、期限算出値情報Ｄ１１で予め設定された使用期限から賞味期限を生成する。
【００４９】
これにより、本例では、変更期間Ｔとして設定された５月から９月の間は、図２（ａ）に示す期限ラベル１１が発行され、他の期間は図２（ｂ）に示す期限ラベル１１が発行される。５月から９月の間、ラベルプリンタ１Ａの操作者が、期限ラベル１１を発行する通常の操作を行うことで、図２（ａ）に示す賞味期限が変更された期限ラベル１１を発行することができる。
【００５０】
よって、特定の期間は賞味期限を異ならせるようなラベルを発行する処理でも、ラベルプリンタ１Ａの操作者がラベル発行時に設定の変更を行う必要はなく、期限の異なるラベルを発行するというミスを低減することができる。
【００５１】
なお、ラベルプリンタをネットワークに接続し、外部サーバ等から変更期間Ｔに合わせて変更値情報を取得することとすれば、変更期間Ｔに合わせて期限日時が変更された期限ラベル１１を発行できる。但し、ネットワークに接続可能な構成でないと対応できない。これに対して、本実施の形態のラベルプリンタ１Ａでは、装置単体で対応可能である。
【００５２】
また、始業時等、ラベルプリンタ１Ａの起動時に、予め設定された変更値情報を表示し、その中から該当する値を選択する方法では、ラベル発行の都度、設定を変更する必要ないが、操作を忘れる可能性はあり、期限の異なるラベルを発行するというミスを低減することはできない。これに対して、本実施の形態のラベルプリンタ１Ａでは、設定の変更をラベルを発行する現場で行う必要はなく、期限の異なるラベルを発行するというミスを低減することができる。
【００５３】
＜本実施の形態のラベルプリンタの変形例＞
図６は、変更規則情報の変形例を示す説明図である。図６に示す変更規則情報Ｄ２Ｂでは、期限ラベル１１に印刷される所定の項目の内容を変更する規則が、物品毎に設定される。本例では、食品毎に賞味期限を変更する期間及び変更値が設定される。
【００５４】
変更規則情報Ｄ２Ｂは、図３に示す期限算出値情報Ｄ１１から算出される期限日時７ｂを変更する変更値情報Ｄ２２と、期限日時７ｂを変更する条件が設定される期限変更条件情報Ｄ２３が、物品名情報Ｄ２４で特定される食品名毎に記憶される。
【００５５】
変更値情報Ｄ２２は、起算日時に加算されることで、図２（ａ）及び図２（ｂ）に示す期限日時７ｂを生成する期限算出値情報Ｄ１１に対して加算あるいは減算される時間で設定される。変更値情報Ｄ２２は、物品が食品である場合、製造日時に加算されることで、賞味期限の期限日時７ｂを生成する期限算出値情報Ｄ１１に対して減算される時間で設定される。変更値情報Ｄ２２は、物品名情報Ｄ２４で特定される食品名毎に、異なる値が設定可能である。
【００５６】
期限変更条件情報Ｄ２３は、期限日時７ｂを変更する変更期間Ｔの開始日が設定された変更開始日情報Ｄ２３ａと、変更期間Ｔの終了日が設定された変更終了日情報Ｄ２３ｂが記憶される。変更開始日情報Ｄ２３ａ及び変更終了日情報Ｄ２３ｂは、物品名情報Ｄ２４で特定される食品名毎に、異なる値が設定可能である。
【００５７】
これにより、例えば「カツカレー」と「鮭弁当」等のように異なる食品で、賞味期限を変更する期間を異ならせ、また、賞味期限を変更する時間を異ならせることができ、各食品に適した賞味期限の管理が可能となる。
【００５８】
図７は、変更規則情報の他の変形例を示す説明図である。図７に示す変更規則情報Ｄ２Ｃでは、期限ラベル１１に印刷される所定の項目の内容を変更する規則として、物品である食品の賞味期限を変更する時間帯及び変更値が設定される。
【００５９】
変更規則情報Ｄ２Ｃは、図３に示す期限算出値情報Ｄ１１から算出される期限日時７ｂを変更する変更値情報Ｄ２５と、期限日時７ｂを変更する条件が設定される期限変更条件情報Ｄ２６が、物品名情報Ｄ２７で特定される食品名毎に記憶される。
【００６０】
変更値情報Ｄ２５は、期限日時７ｂを生成する期限算出値情報Ｄ１１に対して加算あるいは減算される時間で設定され、物品が食品である場合、期限算出値情報Ｄ１１に対して減算される時間で設定される。変更値情報Ｄ２５は、物品名情報Ｄ２７で特定される食品名毎に、異なる値が設定可能である。
【００６１】
期限変更条件情報Ｄ２６は、期限日時７ｂを変更する変更時間帯情報が記憶される。期限変更条件情報Ｄ２６は、物品名情報Ｄ２７で特定される食品名毎に、異なる値が設定可能である。
【００６２】
これにより、例えば「カツカレー」と「鮭弁当」等のように異なる食品で、賞味期限を変更する時間帯を異ならせ、また、賞味期限を変更する時間を異ならせることができ、各食品に適した賞味期限の管理が可能となる。
【００６３】
図８は、変更規則情報の他の変形例を示す説明図である。図８に示す変更規則情報Ｄ２Ｄでは、期限ラベル１１に印刷される所定の項目の内容を変更する規則として、物品である食品の賞味期限を変更する期間及び時間帯と、変更値が設定される。
【００６４】
変更規則情報Ｄ２Ｄは、図３に示す期限算出値情報Ｄ１１から算出される期限日時７ｂを変更する変更値情報Ｄ２８と、期限日時７ｂを変更する条件が設定される期限変更条件情報Ｄ２９が、物品名情報Ｄ３０で特定される食品名毎に記憶される。
【００６５】
変更値情報Ｄ２８は、期限日時７ｂを生成する期限算出値情報Ｄ１１に対して加算あるいは減算される時間で設定され、物品が食品である場合、期限算出値情報Ｄ１１に対して減算される時間で設定される。変更値情報Ｄ２８は、物品名情報Ｄ３０で特定される食品名毎に、異なる値が設定可能である。
【００６６】
期限変更条件情報Ｄ２９は、期限日時７ｂを変更する変更期間Ｔの開始日が設定された変更開始日情報Ｄ２９ａと、変更期間Ｔの終了日が設定された変更終了日情報Ｄ２９ｂと、期限日時７ｂを変更する時間帯が設定された変更時間帯情報Ｄ２９ｃが記憶される。変更開始日情報Ｄ２９ａ、変更終了日情報Ｄ２９ｂ及び変更時間帯情報Ｄ２９ｃは、物品名情報Ｄ３０で特定される食品名毎に、異なる値が設定可能である。
【００６７】
これにより、例えば「カツカレー」と「鮭弁当」等のように異なる食品で、賞味期限を変更する期間と時間帯を異ならせ、また、賞味期限を変更する時間を異ならせることができ、各食品に適した賞味期限の管理が可能となる。例えば、「カツカレー」について、一般的に気温が高くなる季節である５月から９月の間で、１日の中で気温が高くなる時間帯である１０：００〜１７：００の間は、賞味期限を短縮する等の設定が可能である。
【００６８】
なお、変更開始日情報Ｄ２９ａ及び変更終了日情報Ｄ２９ｂが設定されたデータテーブルと、変更時間帯情報Ｄ２９ｃが設定されたデータテーブルを備え、変更開始日情報Ｄ２９ａ及び変更終了日情報Ｄ２９ｂと、変更時間帯情報Ｄ２９ｃを組み合わせて、変更規則情報Ｄ２Ｄが設定できるようにしても良い。
【００６９】
以上の説明では、物品として食品を例に、賞味期限、消費期限等の使用期限を変更する例について説明したが、本実施のラベルプリンタ１Ａは、保守の期間が定められた工業製品、あるいは工業製品を構成する部品、使用期限が定められた薬剤等の管理に使用することが可能である。
【００７０】
なお、以上の例では、ラベルに印刷される項目の内容として、食品の賞味期限等、物品の使用期限に関連する情報を、年月日、時刻等の期間を指定して変更することとしたが、このような期限の管理に加えて、価格、割引率、消費税の税率等、価格に関連する情報を、期間を指定して変更することとしても良い。
【００７１】
価格等を変更する構成では、ラベル作成情報で物品の価格、割引率、税率等が設定されると共に、変更規則情報で価格等を変更する期間と、変更される値が設定される。
【００７２】
これにより、例えば、物品の価格を下げるセール期間が設定されている場合、所定のセール期間は、価格が下げられたラベル、割引率を高くしたラベルを、ラベルプリンタ１Ａの操作者がラベル発行時に設定の変更を行うことなく、発行することができる。
【００７３】
また、食品の場合、夏季と冬季等、季節によって生産地が変わる場合を考慮して、生産地に関連する情報を変更することとしても良い。更に、食品の場合、夏季と冬季等、季節によって保存方法が変わる場合を考慮して、保存方法に関連する情報を変更することとしても良い。
【００７４】
更に、以上の例では、ラベルに印刷される項目の内容を変更する条件として、期間が設定されることとしたが、地域、外気温等の環境に応じた情報が設定されることとしても良い。例えば、温暖な地域と寒冷な地域等で食品の賞味期限を変更する構成では、変更規則情報で賞味期限等を変更する地域、外気温と、変更される値が設定されることで、温暖な地域である場合、外気温が所定の温度以上である場合は、通常のラベルを発行する操作で、賞味期限を短くしたラベルの発行が可能となる。
【００７５】
図９は、本実施の形態のラベルプリンタの制御系の機能の変形例を示すブロック図、図１０は、変更規則情報の変形例を示す説明図である。上述したように、ラベルに印刷される項目の内容を変更する条件を、ラベルプリンタ１Ａが使用される環境に応じて設定する構成では、ラベルプリンタ１Ａは、環境検出手段として、例えば、ＧＰＳ等を利用した測位部９を備える。
【００７６】
図１０に示す変更規則情報Ｄ２Ｅでは、図３に示す期限算出値情報Ｄ１１から算出される期限日時７ｂを変更する変更値情報Ｄ３１と、期限日時７ｂを変更する条件が設定される期限変更条件情報Ｄ３２が、物品名情報Ｄ３３で特定される食品名毎に記憶される。期限変更条件情報Ｄ３２は賞味期限等の期限日時７ｂを変更する地域が設定される。
【００７７】
ラベルプリンタ１Ａでは、制御部２は、測位部９でラベルプリンタ１Ａの設置地域を取得し、ラベルプリンタ１Ａが設置された地域が、期限変更条件情報Ｄ３２で設定された地域であると判断すると、変更値情報Ｄ３１に基づき期限日時７ｂを変更した期限ラベル１１を作成する。
【００７８】
これにより、例えば温暖な地域である場合、通常のラベルを発行する操作で、賞味期限を短くしたラベルの発行が可能となる。なお、環境検出手段としては、温度センサを備える構成としても良い。
【産業上の利用可能性】
【００７９】
本発明は、物品の期限管理を行うラベルプリンタに適用される。
【符号の説明】
【００８０】
１Ａ・・・ラベルプリンタ、２・・・制御部、３・・・記憶部、４・・・印刷部、５・・・操作部、６・・・表示部、８・・・外部記憶装置
【図１】
2015030201.tif 000003
【図２】
2015030201.tif 000004
【図３】
2015030201.tif 000005
【図４】
2015030201.tif 000006
【図５】
2015030201.tif 000007
【図６】
2015030201.tif 000008
【図７】
2015030201.tif 000009
【図８】
2015030201.tif 000010
【図９】
2015030201.tif 000011
【図１０】
2015030201.tif 000012